(57)【要約】【課題】チャイルドシートに着座した子供の頭部の周囲により広い空間を確保しつつ、自転車から取り外して、容易に比較的コンパクトな状態で収納することが可能な自転車用チャイルドシートを提供する。【解決手段】本発明の一実施形態に係る自転車用チャイルドシートカバーは、自転車１００に設けられるチャイルドシート２００を上から覆う態様で、自転車１００及びチャイルドシート２００の少なくとも一方に着脱可能に取り付けられる自転車用チャイルドシートカバーであって、チャイルドシート２００の左側方、後方、及び右側方を一体として覆う頭部カバー部１０を備え、頭部カバー部１０は、チャイルドシート２００の外面に沿ってチャイルドシート２００の左側方と右側方との間に亘って延在するカバーシート１１と、カバーシート１１の外縁の全周に亘って設けられる閉ループ状の弾性変形可能なフレーム部材１２とを含む。【選択図】図１
2020131887.tif 000002
【特許請求の範囲】
【請求項１】
自転車に設けられるチャイルドシートを上から覆う態様で、前記自転車及び前記チャイルドシートの少なくとも一方に着脱可能に取り付けられる自転車用チャイルドシートカバーであって、
前記チャイルドシートの左側方、後方、及び右側方を一体として覆う頭部カバー部を備え、
前記頭部カバー部は、前記チャイルドシートの外面に沿って前記チャイルドシートの左側方と右側方との間に亘って延在するカバーシートと、前記カバーシートの外縁の全周に亘って設けられる閉ループ状の弾性変形可能なフレーム部材とを含む、
自転車用チャイルドシートカバー。
【請求項２】
前記カバーシートにおける前記チャイルドシートの後方を覆う部分には、前記カバーシートの上端縁と下端縁との間を接続する相対的に硬い補強部材が設けられ、
前記補強部材は、前記カバーシートの上端縁と下端縁との間で少なくとも一つ折り曲げ可能な折り曲げ部を含む、
請求項１に記載の自転車用チャイルドシートカバー。
【発明の詳細な説明】
【技術分野】
【０００１】
本発明は、自転車用チャイルドシートカバーに関する。
【背景技術】
【０００２】
従来、比較的低年齢の子供（例えば、幼児等）を乗せる自転車用チャイルドシートに着座する子供を風雨から守る自転車用チャイルドシートカバーが知られている（例えば、特許文献１等参照）。
【０００３】
特許文献１，２では、自転車用チャイルドシートカバーの本体の形状を保持し易い構造を採用し、チャイルドシートに着座した子供の頭部の周囲に相対的に広い空間を形成している。
【先行技術文献】
【特許文献】
【０００４】
【特許文献１】特開２０１４−１２９０５２号公報
【特許文献２】特開２０１５−２１７８３５号公報
【発明の概要】
【０００５】
しかしながら、特許文献１，２等のように、子供の頭部の周囲に広い空間を形成すると、形状を保持するための構造等に起因し、自転車から取り外しても、例えば、容易に折りたたむ等することができず、コンパクトに収納することができない可能性がある。
【０００６】
そこで、上記課題に鑑み、チャイルドシートに着座した子供の頭部の周囲により広い空間を確保しつつ、自転車から取り外して、容易に比較的コンパクトな状態で収納することが可能な自転車用チャイルドシートを提供することを目的とする。
【課題を解決するための手段】
【０００７】
上記目的を達成するため、本発明の一実施態様において、
自転車に設けられるチャイルドシートを上から覆う態様で、前記自転車及び前記チャイルドシートの少なくとも一方に着脱可能に取り付けられる自転車用チャイルドシートカバーであって、
前記チャイルドシートの左側方、後方、及び右側方を一体として覆う頭部カバー部を備え、
前記頭部カバー部は、前記チャイルドシートの外面に沿って前記チャイルドシートの左側方と右側方との間に亘って延在するカバーシートと、前記カバーシートの外縁の全周に亘って設けられる閉ループ状の弾性変形可能なフレーム部材とを含む、
自転車用チャイルドシートカバーが提供される。
【０００８】
本実施形態によれば、チャイルドシートの外面に沿って左側方と右側方との間に亘って延在する頭部カバー部のサイズが適宜調整され、且つ、その外縁に設けられるフレーム部材が形状を保持することによって、自転車用チャイルドシートカバーは、チャイルドシートに着座する子供の頭部の前方及び上方の居住空間を適切に確保することができる。また、頭部カバー部の外縁に設けられるフレーム部材は、弾性変形可能であるため、ユーザは、例えば、ポップアップテント等のように曲げたりねじったりながら、自転車用チャイルドシートカバーをコンパクトに折りたたむことができる。よって、自転車用チャイルドシートカバーは、チャイルドシートに着座した子供の頭部の周囲により広い空間を確保しつつ、ユーザが自転車から取り外して容易に比較的コンパクトな状態で収納することができる。
【発明の効果】
【０００９】
本実施の形態によれば、チャイルドシートに着座した子供の頭部の周囲により広い空間を確保しつつ、自転車から取り外して、容易に比較的コンパクトな状態で収納することが可能な自転車用チャイルドシートを提供することができる。
【図面の簡単な説明】
【００１０】
【図１】チャイルドシートカバーの一例を概略的に示す斜視図である。
【図２】チャイルドシートカバーの一例を概略的に示す左側面図、背面図、及び平面図である。
【図３】チャイルドシートカバーの折りたたみ方法の一例を説明する図である。
【発明を実施するための形態】
【００１１】
以下、図面を参照して発明を実施するための形態について説明する。
【００１２】
［チャイルドシートカバーの構成］
最初に、図１、図２を参照し、本実施形態に係るチャイルドシートカバー１の構成について説明する。
【００１３】
図１は、本実施形態に係るチャイルドシートカバー１の一例を示す斜視図である。具体的には、図１（ａ）は、自転車１００に取付られたチャイルドシートカバー１の一例を前方左側から見た斜視図であり、図１（ｂ）は、自転車１００に取付られたチャイルドシートカバー１を後方左側から見た斜視図である。図２は、本実施形態に係るチャイルドシートカバー１の一例を示す左側面図（図２（ａ））、背面図（図２（ｂ））、及び平面図（図２（ｃ））である。
【００１４】
尚、本明細書における前、後、左、右、上、及び下の方向に関する記載は、チャイルドシートカバー１が直接或いはチャイルドシート２００を介して間接的に取り付けられる自転車１００の前、後、左、右、上、及び下に対応する（図１、図２参照）。
【００１５】
チャイルドシートカバー１（自転車用チャイルドシートカバーの一例）は、自転車１００の前部に設けられるチャイルドシート２００を覆う態様で、自転車１００及びチャイルドシート２００の少なくとも一方に着脱可能に取り付けられる。つまり、チャイルドシートカバー１は、チャイルドシート２００が取り付けられる自転車１００に取り付けられてもよいし、チャイルドシート２００に取り付けられてもよいし、自転車１００とチャイルドシート２００の双方に固定点が設けられる態様で、取り付けられてもよい。
【００１６】
チャイルドシートカバー１は、頭部カバー部１０と、側面カバー部２０と、上前面カバー部３０と、前スカート部４０と、後スカート部５０を含む。
【００１７】
頭部カバー部１０は、チャイルドシート２００における乗員の頭部に対応する部位の左側方、後方、及び右側方を一体として覆う。頭部カバー部１０は、カバーシート１１と、フレーム部材１２と、背面補強部材１３と、取付部１４と、通気口１５と、通気口カバー１６を含む。
【００１８】
カバーシート１１は、チャイルドシート２００の背もたれ部分の外面に沿って、チャイルドシート２００の左側方と右側方との間に亘って延在する。カバーシート１１は、例えば、防水加工或いは撥水加工が施された、綿、ナイロン等の繊維生地（以下、単に「繊維生地」）製であってよい。カバーシート１１は、左側方及び右側方の前端部が曲線形状を有すると共に、その外縁には、フレーム部材１２が設けられる。これにより、頭部カバー部１０の形状保持性を向上させることができる。そのため、チャイルドシート２００に着座する子供の頭部の周囲の空間を適切に確保することができる。また、カバーシート１１の前端縁の位置及び上端縁の位置が適宜設定される、つまり、カバーシート１１の前後の長さ及び上下の高さが適宜設定されることによって、チャイルドシートカバー１は、チャイルドシート２００に着座する子供の頭部の前方及び上方の空間を十分に確保することができ、子供が感じる圧迫感を緩和（抑制）することができる。
【００１９】
フレーム部材１２は、例えば、弾性変形可能な（換言すれば、可撓性を有する）金属製或いは樹脂製の線材である。フレーム部材１２は、例えば、カバーシート１１の外縁を内側に織り込んで構成される袋部分に内包される態様で保持されてよい。これにより、フレーム部材１２は、頭部カバー部１０の形状保持性（つまり、自立性）を確保しつつ、弾性変形による頭部カバー部１０の形状自由度を向上させることができる。そのため、例えば、ユーザは、例えば、ポップアップテント等のように曲げたりねじったりながら、頭部カバー部１０を含むチャイルドシートカバー１全体をコンパクトに折りたたむことができる。
【００２０】
また、図２（ａ）に示すように、カバーシート１１及びフレーム部材１２等を構成要素とする頭部カバー部１０は、側面視で、チャイルドシート２００の背もたれ部分の傾斜に沿う方向（以下、単に「傾斜方向」）Ｌ１に略垂直な斜め上方向（以下、単に、「垂直方向」）Ｌ２に延在している。このとき、頭部カバー部１０は、側面視で、垂直方向Ｌ２の先端位置Ｐが傾斜方向Ｌ１に沿う上下の端部の中央よりも上側になるように設定されている（図中の矢印Ａ参照）。これにより、チャイルドシートカバー１は、チャイルドシート２００に着座する子供の目線の高さに相当する高さ位置の前後方向の空間を相対的に広く確保することができる。人の目は、頭部の相対的に高い位置にあるからである。また、先端位置Ｐを相対的に高く設定できるため、側面視で、頭部カバー部１０（カバーシート１１）の前端下部の面積を削減することができる。よって、後述の側面カバー部２０（上部カバーシート２１）の上端位置をより高い位置に設定できるため、チャイルドシート２００に着座した子供は、側面カバー部２０の透明部分（上部カバーシート２１）を通じた視界をより確保し易くなり、子供の圧迫感を更に緩和（抑制）することができる。
【００２１】
背面補強部材１３（補強部材の一例）は、カバーシート１１におけるチャイルドシート２００の後方（具体的には、チャイルドシート２００の背もたれ）を覆う部分において、カバーシート１１の上端縁と下端縁との間を接続する態様で設けられる。背面補強部材１３は、カバーシート１１よりも相対的に硬い部材（例えば、カバーシートよりも厚手のナイロン部材）で構成される。これにより、頭部カバー部１０の形状保持性を更に向上させることができる。また、背面補強部材１３は、折り曲げ可能な折り曲げ部１３ａを有する。これにより、チャイルドシートカバー１は、頭部カバー部１０の形状保持性と、頭部カバー部１０を容易に折りたたみ可能な構造とを両立させることができる。
【００２２】
例えば、図３は、チャイルドシートカバー１の折りたたみ方法の一例を説明する図である。
【００２３】
図３に示すように、ユーザは、チャイルドシートカバー１を自転車１００（チャイルドシート２００）から取り外した場合、折り曲げ部１３ａを基準にして、頭部カバー部１０の後部を折り曲げる。これにより、ユーザは、カバーシート１１の上端縁と下端縁との間、つまり、上端縁のフレーム部材１２の部分と、下端縁のフレーム部材１２の部分との間の距離を相対的に近づけることができる。そのため、ユーザは、閉ループ状のフレーム部材１２の間が相対的に近接した部位を中心に曲げたりねじったりしながら、頭部カバー部１０をコンパクトに折りたたむことができる。
【００２４】
そして、ユーザは、頭部カバー部１０以外の柔軟性の高い側面カバー部２０、上前面カバー部３０、前スカート部４０、及び後スカート部５０を折りたたまれた頭部カバー部１０に合わせて適宜折りたたむ。
【００２５】
このように、チャイルドシートカバー１は、頭部カバー部１０のフレーム部材１２及び折り曲げ部１３ａの作用によって、容易に比較的コンパクトな状態に折りたたみ可能な構造を実現することができる。
【００２６】
尚、折り曲げ部１３ａは、２つ以上設けられてもよい。
【００２７】
図１及び図２に戻り、取付部１４は、チャイルドシートカバー１をチャイルドシート２００、具体的には、チャイルドシート２００の背面（即ち、背もたれの裏側）に取り付けるために用いられる。取付部１４は、例えば、背面補強部材１３の上下中央部に設けられる上下に長い長円状の孔の外縁の全周に亘る雌型留め具である。この場合、チャイルドシート２００側の被取付部は、雌型留め具の孔に挿し込み可能な凸部を有し、該凸部が略挿し込み方向を中心軸として回動可能な雄型のひねり留め具であってよい。
【００２８】
尚、チャイルドシートカバー１は、取付部１４に加えて、取付部１４よりも前側に他の取付部（以下、「前側取付部」）を有してよい。前側取付部は、例えば、頭部カバー部１０や側面カバー部２０の内面から延設されるベルト部と、その先端に設けられるサイドリリース式或いはフロントリリース式の雄型バックルであってよい。この場合、この雄型バックルは、例えば、チャイルドシート２００の着座する子供が把持する部分等に予め取り付けられる、同じ形式の雌型バックルに固定されることで、チャイルドシートカバー１がチャイルドシート２００に固定される。
【００２９】
通気口１５は、カバーシート１１におけるチャイルドシート２００の後方（具体的には、チャイルドシート２００の背もたれ）を覆う部分において、カバーシート１１の上端縁に設けられ、カバーシート１１のチャイルドシートカバー１の内部と外部との間での空気の入れ替えに用いられる。通気口１５は、単純に開放されているだけの態様でもよいし、チャイルドシートカバー１の内部への雨や虫等の異物の侵入を防止するため、メッシュ生地で覆う態様であってもよい。
【００３０】
通気口カバー１６は、通気口１５の後方を覆う態様で設けられる。これにより、通気口１５から雨や虫等の異物が混入しにくくすることができる。また、通気口カバー１６は、その上端部だけがカバーシート１１に固定されている。これにより、通気口カバー１６の下端部や左右の端部と、カバーシート１１との間には、空気が流れる隙間が生じ易くなる。そのため、通気口カバー１６は、通気口１５によるチャイルドシートカバー１の内部と外部との間の空気の入れ替え機能を担保しつつ、通気口１５からチャイルドシートカバーの内部への異物の混入を抑制することができる。
【００３１】
側面カバー部２０は、頭部カバー部１０の下方に隣接する態様で、チャイルドシート２００の左右の側方を覆う。側面カバー部２０は、上部カバーシート２１と、下部カバーシート２２を含む。
【００３２】
上部カバーシート２１は、例えば、透明なポリウレタン樹脂製やＰＶＣ（PolyVinyl Chloride：ポリ塩化ビニル）製であってよい。これにより、チャイルドシートカバー１で覆われたチャイルドシート２００に着座する子供は、左右の側面カバー部２０を通じて、チャイルドシートカバー１の外側（自転車１００の左側方及び右側方）を視認することができる。そのため、チャイルドシートカバー１は、子供への圧迫感等を抑制（緩和）することができる。
【００３３】
下部カバーシート２２は、例えば、防水加工或いは撥水加工が施された繊維生地製であってよい。
【００３４】
上前面カバー部３０は、チャイルドシート２００の上方及び前方を覆う態様で設けられる。上前面カバー部３０は、図２（ａ）に示すように、側面視で、頭部カバー部１０及び側面カバー部２０の形状に沿うように、頭部カバー部１０及び側面カバー部２０に取り付けられる。上前面カバー部３０は、上部カバーシート３１と、下部カバーシート３２を含む。
【００３５】
上部カバーシート３１は、例えば、その大部分（具体的には、外縁以外の部分）が、透明なＰＶＣ製であってよい。これにより、チャイルドシートカバー１で覆われたチャイルドシート２００に着座する子供は、上前面カバー部３０を通じて、チャイルドシートカバー１の外側（自転車１００の上方及び前方）を視認することができる。そのため、チャイルドシートカバー１は、子供への圧迫感等を抑制することができる。
【００３６】
下部カバーシート３２は、例えば、防水加工或いは撥水加工が施された繊維生地製であってよい。
【００３７】
上前面カバー部３０は、そのチャイルドシート２００の上方を覆う部分が、頭部カバー部１０の上端部、つまり、カバーシート１１の上端縁に取り付けられる（固定される）。また、上前面カバー部３０は、そのチャイルドシート２００の前方を覆う部分（即ち、図２（ａ）に示すように、前下がりに傾斜する部分）の左右が側面カバー部２０と線ファスナ３３により着脱可能に取り付けられる。これにより、上前面カバー部３０は、その上端部を支点にして上下に開閉可能な構造を実現できる。そのため、ユーザは、上前面カバー部３０のチャイルドシート２００の前方を覆う部分を開放状態にすることで、チャイルドシートカバー１を自転車１００に取り付けた状態で、子供を容易にチャイルドシート２００に乗せることができる。
【００３８】
また、上前面カバー部３０は、前スカート部４０との間に取付構造（例えば、線ファスナ等）を有さない態様であってよい。これにより、上前面カバー部３０と前スカート部４０との間の隙間を空気が流れ易くなり、チャイルドシートカバー１の内部と外部との間の空気の入れ替えを促進させることができる。また、上前面カバー部３０は、その下端（即ち、下部カバーシート３２の下端）の位置が前スカート部４０の上端部よりも下になっており、前スカート部４０の前に被る態様であってよい。これにより、チャイルドシートカバー１は、上前面カバー部３０と前スカート部４０との間の前後の隙間を通じて、チャイルドシートカバー１の内部と外部との間の喚起機能を実現しつつ、雨水や虫等の異物の侵入を抑制することができる。
【００３９】
尚、上前面カバー部３０は、チャイルドシート２００の上方を覆う（つまり、頭部カバー部１０（カバーシート１１）の上端縁に取り付けられる）上面カバー部と、チャイルドシート２００の前方を覆う（つまり、側面カバー部２０に取り付けられる）前面カバー部とに分割されてもよい。
【００４０】
前スカート部４０は、チャイルドシート２００に着座する子供の足元部分を前方及び側方から覆うように設けられる。これにより、チャイルドシート２００に着座する子供の足元が雨水等で濡れてしまう事態を抑制できる。具体的には、前スカート部４０は、左右の側面カバー部２０の下端に取付られてよい。また、前スカート部４０は、上述の如く、上前面カバー部３０との間の取付構造（例えば、線ファスナ等）を有さない態様であってもよい。これにより、前スカート部４０の前に被る態様の上前面カバー部３０と前スカート部４０との間の隙間を空気が流れ易くなり、チャイルドシートカバー１の内部と外部との間の空気の入れ替えを促進させることができる。
【００４１】
後スカート部５０は、チャイルドシート２００に着座する子供の足元部分を後方及び側方から覆うように設けられる。これにより、チャイルドシート２００に着座する子供の足元が雨水等で濡れてしまう事態を抑制できる。また、前スカート部４０及び後スカート部５０に分離されているため、自転車１００のハンドルと、チャイルドシートカバー１におけるチャイルドシート２００に着座する子供の足元部分を後方及び側方から覆う部分との間の干渉を抑制することができる。
【００４２】
［作用］
次に、本実施形態に係るチャイルドシートカバー１の作用について説明する。
【００４３】
本実施形態では、チャイルドシートカバー１は、チャイルドシート２００の左側方、後方、及び右側方を一体として覆う頭部カバー部１０を備える。そして、頭部カバー部１０は、チャイルドシート２００の外面に沿ってチャイルドシート２００の左側方と右側方との間に亘って延在するカバーシート１１と、カバーシート１１の外縁の全周に亘って設けられる閉ループ状の弾性変形可能なフレーム部材１２とを含む。
【００４４】
これにより、チャイルドシート２００の外面に沿って左側方と右側方との間に亘って延在する頭部カバー部１０のサイズが適宜調整され、且つ、その外縁に設けられるフレーム部材１２が形状を保持することによって、チャイルドシートカバー１は、チャイルドシート２００に着座する子供の頭部の前方及び上方の居住空間を適切に確保することができる。また、頭部カバー部１０の外縁に設けられるフレーム部材１２は、弾性変形可能であるため、ユーザは、例えば、ポップアップテント等のように曲げたりねじったりながら、チャイルドシートカバー１をコンパクトに折りたたむことができる。よって、チャイルドシートカバー１は、チャイルドシート２００に着座した子供の頭部の周囲により広い空間を確保しつつ、ユーザが自転車から取り外して容易に比較的コンパクトな状態で収納することができる。
【００４５】
また、本実施形態では、カバーシート１１におけるチャイルドシート２００の後方を覆う部分には、カバーシート１１の上端縁と下端縁との間を接続する相対的に硬い背面補強部材１３が設けられてよい。そして、背面補強部材１３は、カバーシート１１の上端縁と下端縁との間で少なくとも一つ折り曲げ可能な折り曲げ部１３ａを含む。
【００４６】
これにより、チャイルドシートカバー１は、背面補強部材１３の作用により、頭部カバー部１０の形状保持性を更に向上させつつ、折り曲げ部１３ａの作用により、チャイルドシートカバー１（頭部カバー部１０）を容易に折りたたみ可能な構造を実現することができる。
【００４７】
以上、本発明を実施するための形態について詳述したが、本発明はかかる特定の実施形態に限定されるものではなく、特許請求の範囲に記載された本発明の要旨の範囲内において、種々の変形・変更が可能である。
【００４８】
例えば、上述した実施形態では、チャイルドシート２００は、自転車１００のハンドルを前後方向に跨ぐ態様で設けられるタイプ（所謂、備え付けタイプ）であったが、当然の如く、自転車１００のハンドルの後方に取付られるタイプ（所謂、後付けタイプ）であってもよい。この場合、チャイルドシートカバー１の前スカート部４０及び後スカート部５０は、一体構造であってもよい。前スカート部４０及び後スカート部５０の間に自転車１００のハンドルが存在しないからである。
【００４９】
また、上述した実施形態において、チャイルドシートカバー１は、自転車１００の前部に設けられるチャイルドシート２００を覆う態様で取り付けられるが、自転車１００の後部に設けられるチャイルドシートを覆う態様で取り付けられてもよい。この場合、自転車１００の後部に設けられるチャイルドシートは、自転車１００の前部に設けられるチャイルドシート２００よりも適用年齢が高いため、その上下方向の寸法は、比較的大きく設定されてよい。
【符号の説明】
【００５０】
１  チャイルドシートカバー（自転車用チャイルドシートカバー）
１０  頭部カバー部
１１  カバーシート
１２  フレーム部材
１３  背面補強部材（補強部材）
１３ａ  折り曲げ部
２０  側面カバー部
３０  上前面カバー部
４０  前スカート部
５０  後スカート部
１００  自転車
２００  チャイルドシート
【図１】
2020131887.tif 000003
【図２】
2020131887.tif 000004
【図３】
2020131887.tif 000005
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
自転車に設けられるチャイルドシートを上から覆う態様で、前記自転車及び前記チャイルドシートの少なくとも一方に着脱可能に取り付けられる自転車用チャイルドシートカバーであって、
前記チャイルドシートの左側方、後方、及び右側方を一体として覆う頭部カバー部を備え、
前記頭部カバー部は、前記チャイルドシートの外面に沿って前記チャイルドシートの左側方から後方を経て右側方までの間に亘って曲面状に延在するカバーシートと、前記カバーシートの外縁の全周に亘って設けられる閉ループ状の弾性変形可能なフレーム部材とを含む、
自転車用チャイルドシートカバー。
【請求項２】
前記カバーシートにおける前記チャイルドシートの後方を覆う部分には、前記カバーシートの上端縁と下端縁との間を接続する相対的に硬い補強部材が設けられ、
前記補強部材は、前記カバーシートの上端縁と下端縁との間で少なくとも一つ折り曲げ可能な折り曲げ部を含む、
請求項１に記載の自転車用チャイルドシートカバー。
【手続補正２】
【補正対象書類名】明細書
【補正対象項目名】０００７
【補正方法】変更
【補正の内容】
【０００７】
上記目的を達成するため、本発明の一実施態様において、
自転車に設けられるチャイルドシートを上から覆う態様で、前記自転車及び前記チャイルドシートの少なくとも一方に着脱可能に取り付けられる自転車用チャイルドシートカバーであって、
前記チャイルドシートの左側方、後方、及び右側方を一体として覆う頭部カバー部を備え、
前記頭部カバー部は、前記チャイルドシートの外面に沿って前記チャイルドシートの左側方から後方を経て右側方までの間に亘って曲面状に延在するカバーシートと、前記カバーシートの外縁の全周に亘って設けられる閉ループ状の弾性変形可能なフレーム部材とを含む、
自転車用チャイルドシートカバーが提供される。